(57)【要約】  【課題】２重化の冗長度が小さくて廉価でありながら、異常発生時の復旧時間を短くできるミキサーシステムを提供する。  【解決手段】ミキサーシステム１は、現用系ミキサー３と、現用系ミキサー３の予備として設けられた予備系ミキサー５と、現用系ミキサー３および予備系ミキサー５と通信するコマンド変換装置９とを備える。コマンド変換装置９は、現用系ミキサー３の動作を制御する現用系制御コマンドを現用系ミキサー３から受信し、現用系制御コマンドを予備系ミキサー５の動作を制御する予備系制御コマンドに変換し、予備系制御コマンドを予備系ミキサー５へ送信する。【選択図】  図１
2007306459.tif 000002
【特許請求の範囲】
【請求項１】
現用系ミキサーと、
前記現用系ミキサーの予備として設けられた予備系ミキサーと、
前記現用系ミキサーおよび前記予備系ミキサーと通信するコマンド変換装置とを備え、
前記コマンド変換装置は、前記現用系ミキサーの動作を制御する現用系制御コマンドを前記現用系ミキサーから受信し、前記現用系制御コマンドを前記予備系ミキサーの動作を制御する予備系制御コマンドに変換し、前記予備系制御コマンドを前記予備系ミキサーへ送信することを特徴とするミキサーシステム。
【請求項２】
前記コマンド変換装置は、前記現用系ミキサーに設定された複数のチャンネルの一部を前記予備系ミキサーに設定された複数のチャンネルと対応づけるチャンネル変換テーブルを記憶しており、前記チャンネル変換テーブルを参照して前記現用系ミキサーのチャンネル設定を前記予備系ミキサーのチャンネル設定に変換することによってチャンネル数を削減することを特徴とする請求項１に記載のミキサーシステム。
【請求項３】
前記コマンド変換装置は、前記現用系ミキサーに設定された複数のＢＵＳチャンネルの一部を前記予備系ミキサーに設定された複数のＢＵＳチャンネルと対応づけるＢＵＳチャンネル変換テーブルを記憶しており、前記ＢＵＳチャンネル変換テーブルを参照して前記現用系ミキサーのＢＵＳチャンネル設定を前記予備系ミキサーのＢＵＳチャンネル設定に変換することによってＢＵＳチャンネル数を削減することを特徴とする請求項１または２に記載のミキサーシステム。
【請求項４】
前記コマンド変換装置は、前記現用系ミキサーおよび前記予備系ミキサーに設定された同種の数値パラメータを対応づけるパラメータ変換テーブルを記憶しており、前記パラメータ変換テーブルは、前記現用系ミキサーの複数のパラメータ値を、前記現用系ミキサーよりも設定可能パラメータ値の数が少ない前記予備系ミキサーの複数のパラメータ値と対応づけるテーブルであり、前記パラメータ変換テーブルを参照して前記現用系ミキサーのパラメータを前記予備系ミキサーのパラメータに変換することによって数値設定を粗くすることを特徴とする請求項１ないし３のいずれかに記載のミキサーシステム。
【請求項５】
前記コマンド変換装置は、さらに、前記予備系制御コマンドを前記予備系ミキサーから受信し、前記予備系制御コマンドを前記現用系制御コマンドに変換し、前記現用系制御コマンドを前記現用系ミキサーへ送信して、前記予備系ミキサーを使用中に前記予備系ミキサーで設定された前記予備系制御コマンドを前記現用系制御コマンドに反映することを特徴とする請求項１ないし４のいずれかに記載のミキサーシステム。
【請求項６】
現用系ミキサーおよびその予備として設けられた予備系ミキサーと通信するコンピュータにて実行されるプログラムであって、
前記プログラムは、前記現用系ミキサーの動作を制御する現用系制御コマンドを前記現用系ミキサーから受信し、前記現用系制御コマンドを前記予備系ミキサーの動作を制御する予備系制御コマンドに変換し、前記予備系制御コマンドを前記予備系ミキサーへ送信する処理を前記コンピュータに実行させて、前記コンピュータを前記現用系ミキサーと前記予備系ミキサーの間のコマンド変換装置として機能させることを特徴とするプログラム。
【請求項７】
現用系ミキサーから、前記現用系ミキサーの動作を制御する現用系制御コマンドを受信する現用系制御コマンド受信手段と、
前記現用系制御コマンドを、前記現用系ミキサーの予備として設けられた予備系ミキサーの動作を制御する予備系制御コマンドに変換するコマンド変換手段と、
前記予備系制御コマンドを前記予備系ミキサーへ送信する予備系制御コマンド送信手段と、
を備えたことを特徴とするミキサー制御コマンド変換装置。
【発明の詳細な説明】
【技術分野】
【０００１】
本発明は、現用系ミキサーと予備系ミキサーとを備えたミキサーシステムに関する。
【背景技術】
【０００２】
従来、放送局、ホール等の音響設備には、オーディオミキサーを備えたミキサーシステムが構築されている。ミキサーシステムでは、信頼性を確保するためにはミキサーを２重化することが有効である。
【０００３】
従来は、ミキサーを２重化する場合、同一機種の２つのミキサーが備えられ、一方のミキサーが現用系ミキサーとして用いられ、他方のミキサーが予備系ミキサーとして用いられる（例えば特許文献１）。この場合、同等に高機能で高価な２台のミキサーが用いられる。
【０００４】
また、別の従来例では、高機能で高価なミキサーと低機能ではあるが廉価なミキサーというように、仕様が異なる２種類のミキサーが備えられる。そして、前者が現用系ミキサーとして用いられ、後者が予備系ミキサーとして用いられる。
【０００５】
このような２重化システムでは、通常時は現用系ミキサーが使用される。そして、現用系ミキサーに異常が発生すると、予備系ミキサーが使用される。
【特許文献１】特開２００３−１０１４４２号公報
【発明の開示】
【発明が解決しようとする課題】
【０００６】
しかしながら、従来のミキサーシステムにおいては、同一機種の２台のミキサーを備える場合、同等に高機能で高価な２台のミキサーを備えられ、それらのうちの１台が殆ど使われないことになる。そのため、システムの冗長度が大きくなり、システム資源的な無駄が多く、コストも高くなるという問題があった。別の従来技術は、高機能なミキサーと低機能なミキサーとを組み合わせることによって冗長度を減らし、システムを廉価にできるものの、２つのミキサーの仕様が異なるために、現用系ミキサーに異常が発生したときに、予備系ミキサーの設定作業に手間と時間がかかり、復旧時間が長くなるという問題があった。
【０００７】
本発明は、従来の問題を解決するためになされたもので、その目的は、２重化の冗長度が小さくて廉価でありながら、異常発生時の復旧時間を短くできるミキサーシステムを提供することにある。
【課題を解決するための手段】
【０００８】
本発明のミキサーシステムは、現用系ミキサーと、前記現用系ミキサーの予備として設けられた予備系ミキサーと、前記現用系ミキサーおよび前記予備系ミキサーと通信するコマンド変換装置とを備え、前記コマンド変換装置は、前記現用系ミキサーの動作を制御する現用系制御コマンドを前記現用系ミキサーから受信し、前記現用系制御コマンドを前記予備系ミキサーの動作を制御する予備系制御コマンドに変換し、前記予備系制御コマンドを前記予備系ミキサーへ送信する。
【０００９】
この構成により、現用系制御コマンドを予備系制御コマンドに変換するコマンド変換装置を設けたので、予備系ミキサーが現用系ミキサーよりも低機能で廉価なミキサーであるために現用系ミキサーと予備系ミキサーの仕様が異なっていても、コマンド変換装置を利用して現用系ミキサーの設定を予備系ミキサーの設定に反映し、現用系ミキサーの異常発生時に予備系ミキサーを使用して短い時間でシステムを復旧することができる。したがって、２重化の冗長度が低く廉価でありながら、異常発生時の復旧時間を短くできるミキサーシステムを提供することができる。
【００１０】
また、本発明のミキサーシステムにおいて、前記コマンド変換装置は、前記現用系ミキサーに設定された複数のチャンネルの一部を前記予備系ミキサーに設定された複数のチャンネルと対応づけるチャンネル変換テーブルを記憶しており、前記チャンネル変換テーブルを参照して前記現用系ミキサーのチャンネル設定を前記予備系ミキサーのチャンネル設定に変換することによってチャンネル数を削減する。
【００１１】
この構成により、チャンネル変換テーブルを参照して現用系ミキサーのチャンネル設定を予備系ミキサーのチャンネル設定に反映できる。予備系ミキサーが現用系ミキサーよりも低機能で廉価なミキサーであるために現用系ミキサーのチャンネル数よりも予備系ミキサーのチャンネル数が少なかったとしても、両ミキサーのチャンネルを対応付けるチャンネル変換テーブルを用いることにより、現用系ミキサーのチャンネル設定を予備系ミキサーのチャンネル設定に適切に変換できる。
【００１２】
また、本発明のミキサーシステムにおいて、前記コマンド変換装置は、前記現用系ミキサーに設定された複数のＢＵＳチャンネルの一部を前記予備系ミキサーに設定された複数のＢＵＳチャンネルと対応づけるＢＵＳチャンネル変換テーブルを記憶しており、前記ＢＵＳチャンネル変換テーブルを参照して前記現用系ミキサーのＢＵＳチャンネル設定を前記予備系ミキサーのＢＵＳチャンネル設定に変換することによってＢＵＳチャンネル数を削減する。
【００１３】
この構成により、ＢＵＳチャンネル変換テーブルを参照して現用系ミキサーのＢＵＳチャンネル設定を予備系ミキサーのＢＵＳチャンネル設定に反映できる。予備系ミキサーが現用系ミキサーよりも低機能で廉価なミキサーであるために現用系ミキサーのＢＵＳチャンネル数よりも予備系ミキサーのＢＵＳチャンネル数が少なかったとしても、両ミキサーのＢＵＳチャンネルを対応付けるＢＵＳチャンネル変換テーブルを用いることにより、現用系ミキサーのＢＵＳチャンネル設定を予備系ミキサーのＢＵＳチャンネル設定に適切に変換できる。
【００１４】
また、本発明のミキサーシステムにおいて、前記コマンド変換装置は、前記現用系ミキサーおよび前記予備系ミキサーに設定された同種の数値パラメータを対応づけるパラメータ変換テーブルを記憶しており、前記パラメータ変換テーブルは、前記現用系ミキサーの複数のパラメータ値を、前記現用系ミキサーよりも設定可能パラメータ値の数が少ない前記予備系ミキサーの複数のパラメータ値と対応づけるテーブルであり、前記パラメータ変換テーブルを参照して前記現用系ミキサーのパラメータを前記予備系ミキサーのパラメータに変換することによって数値設定を粗くする。
【００１５】
この構成により、パラメータ変換テーブルを参照して現用系ミキサーの数値パラメータ設定を予備系ミキサーの数値パラメータ設定に反映できる。数値パラメータは、何らかの値の大きさまたは量を設定するパラメータであり、例えばフェーダレベルである。パラメータ変換テーブルは、現用系ミキサーの複数のパラメータ値を、現用系ミキサーよりも設定可能パラメータ値の数が少ない予備系ミキサーの複数のパラメータ値と対応づけるテーブルであり、現用系の複数のパラメータ値と予備系の１のパラメータ値とが多対１で対応する。したがって、予備系ミキサーが現用系ミキサーよりも低機能で廉価なミキサーであるために、予備系ミキサーのパラメータ値設定間隔が現用系ミキサーより広く、設定可能パラメータ値の数が少なかったとしても、上記のパラメータ変換テーブルを用いることにより、ミキサー仕様差に応じてパラメータ値を適切に変換し、そしてこれにより数値パラメータ設定を適当に粗くできる。
【００１６】
また、本発明のミキサーシステムにおいて、前記コマンド変換装置は、さらに、前記予備系制御コマンドを前記予備系ミキサーから受信し、前記予備系制御コマンドを前記現用系制御コマンドに変換し、前記現用系制御コマンドを前記現用系ミキサーへ送信して、前記予備系ミキサーを使用中に前記予備系ミキサーで設定された前記予備系制御コマンドを前記現用系制御コマンドに反映する。
【００１７】
この構成により、予備系ミキサーに対する設定を現用系ミキサーに反映することができる。したがって、現用系ミキサーが復活したときにも短時間で現用系ミキサーを使い始めることができる。
【００１８】
また、本発明の別の態様は、現用系ミキサーおよびその予備として設けられた予備系ミキサーと通信するコンピュータにて実行されるプログラムであって、前記プログラムは、前記現用系ミキサーの動作を制御する現用系制御コマンドを前記現用系ミキサーから受信し、前記現用系制御コマンドを前記予備系ミキサーの動作を制御する予備系制御コマンドに変換し、前記予備系制御コマンドを前記予備系ミキサーへ送信する処理を前記コンピュータに実行させて、前記コンピュータを前記現用系ミキサーと前記予備系ミキサーの間のコマンド変換装置として機能させる。この態様によっても上述した本発明の利点が得られる。
【００１９】
また、本発明の別の態様はミキサー制御コマンド変換装置であり、このミキサー制御コマンド変換装置は、現用系ミキサーから、前記現用系ミキサーの動作を制御する現用系制御コマンドを受信する現用系制御コマンド受信手段と、前記現用系制御コマンドを、前記現用系ミキサーの予備として設けられた予備系ミキサーの動作を制御する予備系制御コマンドに変換するコマンド変換手段と、前記予備系制御コマンドを前記予備系ミキサーへ送信する予備系制御コマンド送信手段とを備えている。この態様によっても上述した本発明の利点が得られる。
【発明の効果】
【００２０】
本発明は、現用系制御コマンドを予備系制御コマンドに変換するコマンド変換装置を設けたので、予備系ミキサーが現用系ミキサーよりも低機能で廉価なミキサーであっても、異常発生時に予備系ミキサーを使用して短い時間でシステムを復旧することができ、したがって、２重化の冗長度が小さく廉価でありながら、異常発生時の復旧時間を短くできるという効果を有するミキサーシステムを提供することができる。
【発明を実施するための最良の形態】
【００２１】
以下、本発明の実施の形態のミキサーシステムについて、図面を用いて説明する。
【００２２】
本発明の実施の形態に係るミキサーシステムを図１に示す。図１において、ミキサーシステム１は、現用系ミキサー３と、現用系ミキサー３の予備として設けられた予備系ミキサー５と、現用系ミキサー３と予備系ミキサー５のどちらの音声をミキサーシステム１から出力するかを切り替える音声切替装置７と、現用系ミキサー３の制御コマンドを予備系ミキサー５の制御コマンドに変換することによって現用系ミキサー３の設定状態を予備系ミキサー５に反映するコマンド変換装置９とを備えている。ミキサーシステム１は、例えば、放送局、ホールなどの音響設備に備えられる。以下、各部の構成について詳細に説明する。
【００２３】
現用系ミキサー３はデジタルオーディオミキサである。図では、音声入力と音声出力が１本のラインで示されているが、実際には、現用系ミキサー３は、入力および出力のための複数のチャンネルを備えている。音声信号は複数のチャンネルから入力され、それら複数のチャンネルの音声信号がミキシングされ、ミキシング後の音声が複数のチャンネルから出力される。
【００２４】
予備系ミキサー５は、現用系ミキサー３の予備として設けられている。予備系ミキサー５も現用系ミキサー３と同様に、入力および出力のための複数のチャンネルを有しており、音声信号は複数のチャンネルから入力され、それら複数のチャンネルの音声信号がミキシングされ、ミキシング後の音声が複数のチャンネルから出力される。
【００２５】
予備系ミキサー５は、現用系ミキサー３に異常が発生したときに必要最小限の機能を発揮できればよい。そこで、予備系ミキサー５と現用系ミキサー３を比較すると、現用系ミキサー３は高機能で高価なタイプのミキサーであり、予備系ミキサー５は低機能で廉価なタイプのミキサーである。
【００２６】
両ミキサーの仕様差としては、具体的には、例えば、予備系ミキサー５のチャンネル数が現用系ミキサー３のチャンネル数よりも少なく設定されている。また例えば、予備系ミキサー５の数値パラメータの設定可能な値の数が、現用系ミキサー３の同種の数値パラメータよりも少なく設定されている。数値パラメータは、何らかの値の大きさまたは量を設定するパラメータであり、例えばフェーダレベルであり、フェーダレベルの場合はレベル値の段階数がミキサーによって異なる。設定可能パラメータ値の数は、パラメータ値設定間隔が広いほど少なくなる。そして、フェーダレベルなどの数値パラメータに関しては、予備系ミキサー５は、現用系ミキサー３と比べると機能的に劣り、パラメータ値設定間隔が広いために、設定可能パラメータ値の数が少なく、したがって予備系ミキサー５では数値設定が粗くなる。
【００２７】
現用系ミキサー３および予備系ミキサー５の各々は、制御コマンドを記憶しており、制御コマンドに従って動作する。現用系ミキサー３と予備系ミキサー５では、上記のような仕様の相違に応じて、制御コマンドも異なっている。以下、必要に応じて、現用系ミキサー３の制御コマンドを現用系制御コマンドといい、予備系ミキサー５の制御コマンドを予備系制御コマンドといい、これにより、両ミキサーの制御コマンドを区別する。
【００２８】
音声切替装置７は、現用系ミキサー３と予備系ミキサー５のどちらの音声をミキサーシステム１から出力するかを切り替える装置である。音声切替装置７は、通常は現用系ミキサー３から供給される音声を出力する。現用系ミキサー３に故障等の異常が発生すると、音声切替装置７は予備系ミキサー５から供給される音声を出力する。音声切替装置７は手動で操作されてよい。
【００２９】
コマンド変換装置９は、現用系ミキサー３および予備系ミキサー５との通信機能を有し、各ミキサーの制御コマンドを処理するコンピュータ装置である。この点に関し、より詳細に説明すると、現用系ミキサー３および予備系ミキサー５のようなオーディオミキサーとして、外部のコンピュータとの通信機能を有するミキサーが知られている。通信機能は、例えば、イーサネット（登録商標）、ＲＳ−２３２ＣまたはＭＩＤＩである。この通信機能は、コンピュータとの間で制御コマンドを入出力するために利用される。外部のコンピュータでは、ミキサーの制御コマンドが生成されてミキサーに送られ、ミキサーは、受信した制御コマンドを記憶し、制御コマンドに従って動作する。このようにして、ミキサーの設定データは、外部のコンピュータから制御することができる。コマンド変換装置９は、現用系ミキサー３および予備系ミキサー５に対して、上記の外部のコンピュータとして機能し、現用系ミキサー３および予備系ミキサー５とデータ通信を行い、現用系ミキサー３および予備系ミキサー５の制御コマンドを処理する。コマンド変換装置９は、現用系ミキサー３から現用系制御コマンドを受信し、現用系制御コマンドを予備系制御コマンドに変換し、予備系制御コマンドを予備系ミキサー５に送信するように構成されている。予備系ミキサー５は、受信した予備系制御コマンドを記憶し、予備系制御コマンドに従って動作し、内部状態を設定する。
【００３０】
図２は、コマンド変換装置９の構成を示すブロック図である。コマンド変換装置９において、現用系制御コマンド受信部１１は、現用系ミキサー３から現用系制御コマンドを受信する。コマンド変換部１３は、コマンド変換処理のプログラムをＣＰＵが実行することによって実現され、現用系制御コマンドを予備系制御コマンドに変換する。予備系制御コマンド送信部１５は、変換後の予備系制御コマンドを予備系ミキサー５に送信する。現用系制御コマンド受信部１１および予備系制御コマンド送信部１５は上述したように、イーサネット（登録商標）、ＲＳ−２３２ＣまたはＭＩＤＩなどの通信機能を有している。
【００３１】
また、コマンド変換装置９は、ミキサー情報記憶部２１、チャンネル情報変換テーブル記憶部２３およびパラメータ情報変換テーブル記憶部２５を有している。ミキサー情報記憶部２１は、現用系ミキサー３および予備系ミキサー５の各種情報を記憶しており、例えば、各ミキサーのチャンネル数、ＢＵＳチャンネル数およびＥＱ（イコライザ）バンド数を記憶している。チャンネル情報変換テーブル記憶部２３は、現用系ミキサー３と予備系ミキサー５の間でチャンネル情報を変換するためのテーブルを記憶している。パラメータ情報変換テーブル記憶部２５は、現用系ミキサー３と予備系ミキサー５の間で各種パラメータを変換するためのテーブルを記憶している。
【００３２】
図３〜図６は、コマンド変換装置９のチャンネル情報変換テーブル記憶部２３およびパラメータ情報変換テーブル記憶部２５に記憶される各種テーブルを示している。図３（ａ）のチャンネル変換テーブル、図３（ｂ）のＢＵＳチャンネル変換テーブル、図３（ｃ）のＥＱバンド変換テーブルは、チャンネル情報変換テーブル記憶部２３に記憶されている。図４（ａ）のフェーダレベル変換テーブル、図４（ｂ）のチャンネルＯＮ／ＯＦＦ変換テーブル、図５（ａ）のＢＵＳスイッチ変換テーブル、図５（ｂ）のＢＵＳレベル変換テーブル、図５（ｃ）のＢＵＳパンスイッチ変換テーブル、図５（ｄ）のＢＵＳパンレベル変換テーブル、図６（ａ）のＥＱスイッチ変換テーブル、図６（ｂ）のＥＱ周波数変換テーブル、図６（ｃ）のＥＱゲイン変換テーブル、図６（ｄ）のＥＱタイプ変換テーブルは、パラメータ情報変換テーブル記憶部２５に記憶されている。
【００３３】
図２に戻り、コマンド変換装置９は、さらに、現用系ミキサー設定状態保存部３１および予備系ミキサー設定状態保存部３３を有している。現用系ミキサー設定状態保存部３１および予備系ミキサー設定状態保存部３３はメモリで構成されており、コマンド変換部１３での処理過程のデータを保存する。
【００３４】
また、コマンド変換部１３は、現用系制御コマンド解析部４１、設定データ変換部４３および予備系制御コマンド生成部４５を有している。現用系制御コマンド解析部４１は、現用系制御コマンド受信部１１によって受信された現用系制御コマンドを解析し、現用系ミキサー３の設定状態を求めて、現用系ミキサー設定状態保存部３１に保存する。設定データ変換部４３は、各種変換テーブルを参照し、現用系ミキサー３の設定状態を予備系ミキサー５の設定状態に変換し、変換後のデータを予備系ミキサー設定状態保存部３３に保存する。予備系制御コマンド生成部４５は、予備系ミキサー設定状態保存部３３に保存された設定状態に対応するように予備系制御コマンドを生成する。こうして生成された予備系制御コマンドが、予備系制御コマンド送信部１５から予備系ミキサー５に送信される。
【００３５】
以上に、ミキサーシステム１の各部構成について説明した。次に、ミキサーシステム１の動作を説明する。
【００３６】
まず、コマンド変換装置９の動作を中心に、現用系ミキサー３の制御コマンドを変換して予備系ミキサー５に送る動作について説明する。この動作としては、概略的には、現用系ミキサー３がコマンド変換装置９に現用系制御コマンドを送信すると、コマンド変換装置９では、現用系制御コマンド受信部１１により現用系制御コマンドが受信され、コマンド変換部１３により現用系制御コマンドが予備系制御コマンドに変換され、予備系制御コマンド送信部１５から予備系ミキサー５へ予備系制御コマンドが送信される。予備系ミキサー５は、受信した予備系制御コマンドを記憶し、予備系制御コマンドに従って動作し、内部状態を設定する。
【００３７】
上記の過程で、コマンド変換部１３では、現用系制御コマンドが現用系制御コマンド解析部４１により解析され、現用系ミキサー３の設定状態が現用系ミキサー設定状態保存部３１に保存される。そして、現用系ミキサー３の設定状態が、設定データ変換部４３により、図３〜図６のテーブルを参照して、予備系ミキサー５の設定状態に変換されて、予備系ミキサー設定状態保存部３３に保存される。さらに、予備系ミキサー５の設定状態に対応する予備系制御コマンドが予備系制御コマンド生成部４５により生成される。
【００３８】
図７〜図１０は、上記の設定データ変換部４３の処理を示している。概略的には、設定データ変換部４３が、予備系ミキサー５の複数のチャンネルを一つずつ検索して、各チャンネルの変換処理を行う。さらに、各チャンネルの処理として、設定データ変換部４３は、複数のＢＵＳチャンネルを一つずつ検索して、各ＢＵＳチャンネルの変換処理を行う。また、設定データ変換部４３は、各チャンネルの処理として、複数のＥＱバンドを一つずつ検索して、各ＥＱバンドの変換処理を行う。
【００３９】
図７において、まず、設定データ変換部４３は、検索チャンネルを１とする（Ｓ１）。検索チャンネルは、予備系ミキサー５の一つのチャンネルである。そして、設定データ変換部４３は、検索チャンネルの値が所定数（本実施の形態では２５６）以下であるか否かを判定する（Ｓ３）。
【００４０】
ステップＳ３がＹｅｓであれば、設定データ変換部４３は、図３（ａ）のチャンネル変換テーブルを参照し、予備系チャンネル（検索チャンネル）の対応現用系チャンネルを検索する（Ｓ５）。対応現用系チャンネルが無ければ、設定データ変換部４３は、チャンネルの値を１つ増やして（Ｓ７）、ステップＳ３に戻る。ステップＳ５にて対応現用系チャンネルが有れば、設定データ変換部４３は、チャンネル変換処理を行う（Ｓ９）。
【００４１】
図８は、図７のステップＳ９におけるチャンネル変換処理のサブフローチャートである。チャンネル変換処理では、設定データ変換部４３は、現用系ミキサー設定状態保存部３１から対応現用系チャンネルのフェーダレベルを取得し、図４（ａ）のフェーダレベル変換テーブルを参照し、同テーブルから、対応現用系チャンネルのフェーダレベルに対応する予備系チャンネルのフェーダレベルを取得し（Ｓ３１）、取得したフェーダレベルを予備系ミキサー設定状態保存部３３の対応予備系チャンネルに設定する（Ｓ３３）。さらに、設定データ変換部４３は、現用系ミキサー設定状態保存部３１から対応現用系チャンネルのチャンネルＯＮ／ＯＦＦ値を取得し、図４（ｂ）のチャンネルＯＮ／ＯＦＦ変換テーブルを参照し、同テーブルから、対応現用系チャンネルのチャンネルＯＮ／ＯＦＦ値に対応する予備系チャンネルのチャンネルＯＮ／ＯＦＦ値を取得し（Ｓ３５）、取得したチャンネルＯＮ／ＯＦＦ値を予備系ミキサー設定状態保存部３３の対応予備系チャンネルに設定する（Ｓ３７）。
【００４２】
図７に戻り、ステップＳ９のチャンネル変換処理の後、設定データ変換部４３は、検索ＢＵＳチャンネルを１とする（Ｓ１１）。検索ＢＵＳチャンネルは、予備系ミキサー５のＢＵＳチャンネルである。そして、設定データ変換部４３は、検索ＢＵＳチャンネルの値が所定数（本実施の形態では６４）以下であるか否かを判定する（Ｓ１３）。
【００４３】
ステップＳ１３がＹｅｓであれば、設定データ変換部４３は、図３（ｂ）のＢＵＳチャンネル変換テーブルを参照し、予備系ＢＵＳチャンネル（検索ＢＵＳチャンネル）の対応現用系ＢＵＳチャンネルを検索する（Ｓ１５）。対応現用系ＢＵＳチャンネルが無ければ、設定データ変換部４３は、ＢＵＳチャンネルの値を１つ増やして（Ｓ１７）、ステップＳ１３に戻る。ステップＳ１５にて対応現用系ＢＵＳチャンネルが有れば、設定データ変換部４３は、ＢＵＳチャンネル変換処理を行う（Ｓ１９）。
【００４４】
図９は、図７のステップＳ１９におけるＢＵＳチャンネル変換処理のサブフローチャートである。ＢＵＳチャンネル変換処理では、設定データ変換部４３は、現用系ミキサー設定状態保存部３１から対応現用系ＢＵＳチャンネルのＢＵＳスイッチ値を取得し、図５（ａ）のＢＵＳスイッチ変換テーブルを参照し、同テーブルから、対応現用系ＢＵＳチャンネルのＢＵＳスイッチ値に対応する予備系ＢＵＳチャンネルのＢＵＳスイッチ値を取得し（Ｓ４１）、取得したＢＵＳスイッチ値を、予備系ミキサー設定状態保存部３３の対応予備系ＢＵＳチャンネルに設定する（Ｓ４３）。さらに、設定データ変換部４３は、現用系ミキサー設定状態保存部３１から対応現用系ＢＵＳチャンネルのＢＵＳレベル値を取得し、図５（ｂ）のＢＵＳレベル変換テーブルを参照し、同テーブルから、対応現用系ＢＵＳチャンネルのＢＵＳレベル値に対応する予備系ＢＵＳチャンネルのＢＵＳレベル値を取得し（Ｓ４５）、取得したＢＵＳレベル値を、予備系ミキサー設定状態保存部３３の対応予備系ＢＵＳチャンネルに設定する（Ｓ４７）。
【００４５】
さらに、設定データ変換部４３は、現用系ミキサー設定状態保存部３１から対応現用系ＢＵＳチャンネルのＢＵＳパンスイッチ値を取得し、図５（ｃ）のＢＵＳパンスイッチ変換テーブルを参照し、同テーブルから、対応現用系ＢＵＳチャンネルのＢＵＳパンスイッチ値に対応する予備系ＢＵＳチャンネルのＢＵＳパンスイッチ値を取得し（Ｓ４９）、取得したＢＵＳパンスイッチ値を、予備系ミキサー設定状態保存部３３の対応予備系ＢＵＳチャンネルに設定する（Ｓ５１）。さらに、設定データ変換部４３は、現用系ミキサー設定状態保存部３１から対応現用系ＢＵＳチャンネルのＢＵＳパンレベル値を取得し、図５（ｄ）のＢＵＳパンレベル変換テーブルを参照し、同テーブルから、対応現用系ＢＵＳチャンネルのＢＵＳパンレベル値に対応する予備系ＢＵＳチャンネルのＢＵＳパンレベル値を取得し（Ｓ５３）、取得したＢＵＳパンレベル値を、予備系ミキサー設定状態保存部３３の対応予備系ＢＵＳチャンネルに設定する（Ｓ５５）。
【００４６】
図７に戻り、ステップＳ１９のＢＵＳチャンネル変換処理の後、設定データ変換部４３は、ＢＵＳチャンネルの値を１つ増やして（Ｓ１７）、ステップＳ１３に戻る。
【００４７】
ステップＳ１３の判定がＮｏであれば、設定データ変換部４３は、検索ＥＱバンドを１とする（Ｓ２１）。検索ＥＱバンドは、予備系ミキサー５のＥＱバンドである。そして、設定データ変換部４３は、ＥＱバンドの値が所定数（本実施の形態では１６）以下であるか否かを判定する（Ｓ２３）。
【００４８】
ステップＳ２３がＹｅｓであれば、設定データ変換部４３は、図３（ｃ）のＥＱバンド変換テーブルを参照し、予備系ＥＱバンド（検索ＥＱバンド）の対応現用系ＥＱバンドを検索する（Ｓ２５）。対応現用系ＥＱバンドが無ければ、設定データ変換部４３は、ＥＱバンドの値を１つ増やして（Ｓ２７）、ステップＳ２３に戻る。ステップＳ２５にて対応現用系ＥＱバンドが有れば、設定データ変換部４３は、ＥＱバンド変換処理を行う（Ｓ２９）。
【００４９】
図１０は、図７のステップＳ２９におけるＥＱバンド変換処理のサブフローチャートである。ＥＱバンド変換処理では、設定データ変換部４３は、現用系ミキサー設定状態保存部３１から対応現用系ＥＱバンドのＥＱスイッチ値を取得し、図６（ａ）のＥＱスイッチ変換テーブルを参照し、同テーブルから、対応現用系ＥＱバンドのＥＱスイッチ値に対応する予備系ＥＱバンドのＥＱスイッチ値を取得し（Ｓ６１）、取得したＥＱスイッチ値を、予備系ミキサー設定状態保存部３３の対応予備系ＥＱバンドに設定する（Ｓ６３）。さらに、設定データ変換部４３は、現用系ミキサー設定状態保存部３１から対応現用系ＥＱバンドのＥＱ周波数値を取得し、図６（ｂ）のＥＱ周波数変換テーブルを参照し、同テーブルから、対応現用系ＥＱバンドのＥＱ周波数値に対応する予備系ＥＱバンドのＥＱ周波数値を取得し（Ｓ６５）、取得したＥＱ周波数値を、予備系ミキサー設定状態保存部３３の対応予備系ＥＱバンドに設定する（Ｓ６７）。
【００５０】
さらに、設定データ変換部４３は、現用系ミキサー設定状態保存部３１から対応現用系ＥＱバンドのＥＱゲイン値を取得し、図６（ｃ）のＥＱゲイン変換テーブルを参照し、同テーブルから、対応現用系ＥＱバンドのＥＱゲイン値に対応する予備系ＥＱバンドのＥＱゲイン値を取得し（Ｓ６９）、取得したＥＱゲイン値を、予備系ミキサー設定状態保存部３３の対応予備系ＥＱバンドに設定する（Ｓ７１）。さらに、設定データ変換部４３は、現用系ミキサー設定状態保存部３１から対応現用系ＥＱバンドのＥＱタイプ値を取得し、図６（ｄ）のＥＱタイプ変換テーブルを参照し、同テーブルから、対応現用系ＥＱバンドのＥＱタイプ値に対応する予備系ＥＱバンドのＥＱタイプ値を取得し（Ｓ７３）、取得したＥＱタイプ値を、予備系ミキサー設定状態保存部３３の対応予備系ＥＱバンドに設定する（Ｓ７５）。
【００５１】
図７に戻り、ステップＳ２９のＥＱバンド変換処理の後、設定データ変換部４３は、ＥＱバンドの値を１つ増やして（Ｓ２７）、ステップＳ２３に戻る。
【００５２】
ステップＳ２３の判定がＮｏであれば、設定データ変換部４３は、チャンネルの値を１つ増やして（Ｓ７）、ステップＳ３に戻る。ステップＳ３の判定がＮｏであれば、設定データ変換部４３の設定データ変換処理が終了する。
【００５３】
以上に、本実施の形態に係るミキサーシステム１における制御コマンドの変換動作について説明した。上記の制御コマンドの処理は、リアルタイムで行われることが好適である。例えば、所定の間隔で制御コマンドが現用系ミキサー３からコマンド変換装置９に供給され、コマンド変換装置９で制御コマンドが変換され、変換後の制御コマンドがコマンド変換装置９から予備系ミキサー５に供給されてよい。あるいは、現用系ミキサー３の設定が変更される度に、制御コマンドが上記のように処理されてもよい。
【００５４】
ここで、上述した図３〜図６のテーブルを使ったコマンド変換処理について更に説明する。図３（ａ）のチャンネル変換テーブルを参照すると、予備系チャンネルは予備系ミキサー５のチャンネルであり、対応現用系チャンネルは、予備系チャンネルと関連づけられる現用系ミキサー３のチャンネルである。図の例では、予備系チャンネル１〜４と、対応現用系チャンネル１〜４とが対応している。残りの予備系チャンネルに関しては、対応現用系チャンネルが「−１」である。「−１」は、予備系チャンネルに対応する対応現用系チャンネルの設定がテーブル上に無いことを意味する。
【００５５】
上述の図３（ａ）のチャンネル変換テーブルは、現用系ミキサー３に設定された複数のチャンネルの一部を、予備系ミキサー５に設定された複数のチャンネルとそれぞれ対応づけるテーブルである。具体的には、現用系チャンネル１〜４だけを、予備系チャンネル１〜４とそれぞれ対応づける。それ以外の現用系チャンネルは、予備系チャンネルと対応づけられていない。例えば、実際の現用系ミキサー３にチャンネル５が存在したとしても、現用系チャンネル５は図３（ａ）のチャンネル変換テーブルに存在せず、すなわち、現用系チャンネル５に対応する予備系チャンネルが存在しない。
【００５６】
コマンド変換装置９が図３（ａ）のチャンネル変換テーブルを使うと、現用系チャンネルの一部は予備系チャンネルに変換されるが、その他の現用系チャンネルは変換されないことになる。具体的には、予備系チャンネル１〜４については、図７のステップＳ５の判定がＹｅｓになり、その結果、現用系チャンネル１〜４の設定が予備系チャンネル１〜４の設定に変換される。その他の予備系チャンネルについては、図７のステップＳ５の判定がＮｏになり、チャンネル変換が行われない。この処理を現用系チャンネルの側から見ると、現用系チャンネル１〜４だけが予備系チャンネル１〜４に変換され、他の現用系チャンネルは予備系チャンネルに変換されない。
【００５７】
このようなチャンネル変換テーブルが使われる理由は以下の通りである。前述したように、予備系ミキサー５は現用系ミキサー３よりも低機能で廉価であり、予備系ミキサー５のチャンネル数は現用系ミキサー３のチャンネル数よりも少ない。したがって、制御コマンド変換処理では、チャンネル数を削減する必要がある。本実施の形態では、上述のチャンネル変換テーブルを使うことによりチャンネル数を予備系ミキサー５の仕様に合わせて適切に削減できる。
【００５８】
なお、図３（ａ）のチャンネル変換テーブルでは、テーブル上のチャンネル数が２５６である。しかし、このことは、現用系ミキサー３または予備系ミキサー５に２５６のチャンネルが備えられていることを意味しているのではない。テーブルが規定できる最大チャンネル数が、２５６なのである。このテーブルを利用して、２５６以下の範囲で、予備系チャンネルと現用系チャンネルの組合せを設定することができる。
【００５９】
以上に、図３（ａ）のチャンネル変換テーブルについて説明した。図３（ｂ）のＢＵＳチャンネル変換テーブルについても同様である。ＢＵＳチャンネル変換テーブルは、現用系ミキサー３のＢＵＳチャンネルの一部（現用系ＢＵＳチャンネル１、２、７、８）を、予備系ミキサー５のＢＵＳチャンネル（予備系ＢＵＳチャンネル５、６、７、８）と対応づける。このようなＢＵＳチャンネル変換テーブルを使うと、ＢＵＳチャンネル数が予備系ミキサー５の仕様に合わせて適切に削減される。さらに、図３（ｃ）のＥＱバンド変換テーブルについても同様である。詳細な説明は省略するが、ＥＱバンド変換テーブルは、現用系ミキサー３のＥＱバンドの一部を、予備系ミキサー５のＥＱバンドと対応づけており、このようなＥＱバンド変換テーブルを使うと、ＥＱバンド数が予備系ミキサー５の仕様に合わせて削減される。
【００６０】
なお、チャンネル変換テーブルでは最大チャンネル数が２５６であったが、ＢＵＳチャンネル変換テーブルでは最大ＢＵＳチャンネル数が６４であり、ＥＱバンド変換テーブルでは最大ＥＱバンドバンド数が１６に設定されている。
【００６１】
次に、図４（ａ）のフェーダレベル変換テーブルを参照する。フェーダレベル変換テーブルは、フェーダレベルのレベル値を現用系と予備系の間で変換するためのテーブルである。同テーブルにおいて、レベル値１０．０ｄＢに対しては、現用系および予備系の値が設定されている。しかし、レベル値９．９ｄＢ〜９．６ｄＢに対しては、現用系の値のみが設定されており、予備系の値は「−１」になっている。この「−１」は、「一番近い上の値にまるめること」を意味する。すなわち、予備系においては、１０．０ｄＢ〜９．５ｄＢのレベル値はすべて、１０．０ｄＢになる。つまり、図４（ａ）のフェーダレベル変換テーブルでは、現用系の複数のレベル値が予備系の１のレベル値と対応している（例えば、現用系の５つのレベル値１０．０ｄＢ〜９．６ｄＢが、予備系の１つのレベル値と対応する）。テーブル全体としては、現用系ミキサー３の複数のレベル値が、現用系ミキサー３よりも設定可能なレベル値が少ない予備系ミキサー５の複数のレベル値と対応する。フェーダレベル変換テーブルでは、現用系よりも予備系にて、レベル値の設定間隔が広がっており、コマンド変換装置９が図４（ａ）のフェーダレベル変換テーブルを使うと、変換後のレベル値では設定間隔が広がり、レベル値設定が粗くなる。例えば、変換前のレベル値が１０．０〜９．５ｄＢの間であっても、変換後のレベル値は１０．０ｄＢになる。
【００６２】
このようなフェーダレベル変換テーブルが使われる理由は以下の通りである。前述したように、予備系ミキサー５は現用系ミキサー３よりも低機能で廉価であり、予備系ミキサー５では、フェーダレベルの設定間隔が現用系ミキサー３よりも広く、設定可能なレベル値の数が現用系ミキサー３より少ない。したがって、制御コマンド変換処理では、予備系ミキサー５の仕様に応じてレベル値の間隔を広げ、レベル値設定を粗くする必要がある。このような変換処理が、本実施の形態では上記のフェーダレベル変換テーブルを使うことにより実現される。
【００６３】
上記のフェーダレベルは、数値パラメータの一例である。本実施の形態において、数値パラメータは、何らかの値の大きさまたは量を設定するパラメータである。その他、図５のＢＵＳレベル、ＢＵＳパンレベル、図６のＥＱ周波数、ＥＱゲインなども数値パラメータに含まれてよい。数値パラメータに関するミキサー仕様としては、機能的に劣っているために数値設定間隔が広いほど、設定可能パラメータ値の数が少なくなり、そして、数値設定が粗くなる。本実施の形態では、同種の数値パラメータに関して、予備系ミキサー５の設定可能パラメータ値の数が、現用系ミキサー３の設定可能パラメータ値の数よりも少ない場合に、予備系ミキサー５の１つのパラメータ値を現用系ミキサー３の複数のパラメータ値と対応づける上述のようなパラメータ変換テーブルが用いられる。これにより、ミキサー仕様差に応じてパラメータ値の数を適切に削減し、数値設定を適切に粗くできる。
【００６４】
次に、ミキサーシステム１の全体の動作について、特に、異常発生前後のミキサー動作について説明する。現用系ミキサー３に異常が発生する前、すなわち、通常時は、音声切替装置７が、現用系ミキサー３からの音声を出力する状態にある。したがって、ミキサーシステム１への入力音声は、現用系ミキサー３にてミキシングされ、音声切替装置７を経て、ミキサーシステム１から出力される。
【００６５】
通常時、コマンド変換装置９が図７〜図１０を用いて上述したように機能して、現用系ミキサー３の設定状態が予備系ミキサー５に常に反映されている。現用系ミキサー３がユーザにより操作されて設定状態が変わると、コマンド変換装置９が機能して、予備系ミキサー５の設定状態も変更される。
【００６６】
このような状態で、現用系ミキサー３に故障等の異常が発生したとする。このとき、音声切替装置７が切り替わり、予備系ミキサー５からの音声を出力する。音声切替装置７は手動で操作されてよい。以降は、予備系ミキサー５が現用系ミキサー３に変わって動作する。ミキサーシステム１への入力音声は、予備系ミキサー５にてミキシングされ、音声切替装置７を経て、ミキサーシステム１から出力される。ミキサー操作も、予備系ミキサー５に対して行われる。上述のように、通常時に現用系ミキサー３の設定が予備系ミキサー５に反映されているので、現用系ミキサー３の異常発生時に予備系ミキサー５の使用を直ちに開始することができ、復旧時間が短くてすむ。
【００６７】
以上にミキサーシステム１の動作について説明した。次にミキサーシステム１の応用例および変形例について説明する。
【００６８】
コマンド変換装置９は、上記の実施の形態と逆の制御コマンド変換機能も備えてよい。すなわち、コマンド変換装置９は、予備系制御コマンドを予備系ミキサー５から受信し、予備系制御コマンドを現用系制御コマンドに変換し、現用系制御コマンドを現用系ミキサー３へ送信するように構成される。このような構成を実現するために、図３〜図６と逆の変換を行うテーブルがコマンド変換装置９に用意され、記憶される。現用系ミキサー３は、コマンド変換装置９から受信した現用系制御コマンドを記憶する。これにより、予備系ミキサー５を使用中に予備系ミキサー５で設定された情報を現用系制御コマンドに反映することができる。したがって、現用系ミキサー３が復旧した後にすぐに現用系ミキサー３を使い始められる。
【００６９】
また、コマンド変換装置９の各種の変換テーブルの内容は変更されてよい。これにより、複数種類のミキサーにコマンド変換装置９を適用することができる。複数の変換テーブルのセットをコマンド変換装置９が記憶していてもよい。各テーブルセットは、異なるミキサーに対応する。これにより、ミキサーを変更しても、コマンド変換装置９を容易に使い続けられる。
【００７０】
また、上記の実施の形態では、パラメータの例としてＥＱバンドが変換された。パラメータ変換テーブルが増やされて、より多くのパラメータが変換されてよい。例えば、コンプレッサ、ノイズゲート、ディレイ等に本発明が適用されてよい。
【００７１】
また、コマンド変換装置９は、現用系ミキサー設定状態保存部３１および予備系ミキサー設定状態保存部３３のデータを記憶するように構成されてよい。例えば、データがハードディスク等の外部記録媒体に格納される。現用系ミキサー３が交換されたとき、現用系ミキサー設定状態保存部３１のデータが現用系ミキサー３に供給される。現用系ミキサー３は、受信したデータに従って動作し、内部状態を設定する。あるいは、予備系ミキサー５が交換されたとき、予備系ミキサー設定状態保存部３３のデータが予備系ミキサー５に供給される。予備系ミキサー５は、受信したデータに従って動作し、内部状態を設定する。このような構成により、ミキサー交換時に、コマンド変換装置９の保存データを使って容易にミキサーの設定データを復旧させることができる。
【００７２】
以上に本発明の実施の形態に係るミキサーシステム１について説明した。本実施の形態によれば、現用系制御コマンドを予備系制御コマンドに変換するコマンド変換装置９を設けたので、予備系ミキサー５が現用系ミキサー３よりも低機能で廉価なミキサーであるために現用系ミキサー３と予備系ミキサー５の仕様が異なっていても、コマンド変換装置９を利用して現用系ミキサー３の設定を予備系ミキサー５の設定に反映し、現用系ミキサー３の異常発生時に予備系ミキサー５を使用して短い時間でミキサーシステム１を復旧することができる。２重化の冗長度が低く廉価でありながら、異常発生時の復旧時間を短くできるミキサーシステムを提供することができる。
【００７３】
また、本実施の形態によれば、コマンド変換装置９は、現用系ミキサー３に設定された複数のチャンネルの一部を予備系ミキサー５に設定された複数のチャンネルと対応づけるチャンネル変換テーブルを記憶しており、チャンネル変換テーブルを参照して現用系ミキサー３のチャンネル設定を予備系ミキサー５のチャンネル設定に変換することによってチャンネル数を削減する。これにより、チャンネル変換テーブルを参照して現用系ミキサー３のチャンネル設定を予備系ミキサー５のチャンネル設定に反映できる。予備系ミキサー５が現用系ミキサー３よりも低機能で廉価なミキサーであるために現用系ミキサー３のチャンネル数よりも予備系ミキサー５のチャンネル数が少なかったとしても、両ミキサーのチャンネルを対応付けるチャンネル変換テーブルを用いることにより、現用系ミキサー３のチャンネル設定を予備系ミキサー５のチャンネル設定に適切に変換できる。
【００７４】
また、本実施の形態によれば、コマンド変換装置９は、現用系ミキサー３に設定された複数のＢＵＳチャンネルの一部を予備系ミキサー５に設定された複数のＢＵＳチャンネルと対応づけるＢＵＳチャンネル変換テーブルを記憶しており、ＢＵＳチャンネル変換テーブルを参照して現用系ミキサー３のＢＵＳチャンネル設定を予備系ミキサー５のＢＵＳチャンネル設定に変換することによってＢＵＳチャンネル数を削減する。これにより、ＢＵＳチャンネル変換テーブルを参照して現用系ミキサー３のＢＵＳチャンネル設定を予備系ミキサー５のＢＵＳチャンネル設定に反映できる。予備系ミキサー５が現用系ミキサー３よりも低機能で廉価なミキサーであるために現用系ミキサー３のＢＵＳチャンネル数よりも予備系ミキサー５のＢＵＳチャンネル数が少なかったとしても、両ミキサーのＢＵＳチャンネルを対応付けるＢＵＳチャンネル変換テーブルを用いることにより、現用系ミキサー３のＢＵＳチャンネル設定を予備系ミキサー５のＢＵＳチャンネル設定に適切に変換できる。
【００７５】
また、本実施の形態によれば、コマンド変換装置９は、現用系ミキサー３および予備系ミキサー５に設定された同種の数値パラメータを対応づけるパラメータ変換テーブルを記憶しており、パラメータ変換テーブルは、現用系ミキサー３の複数のパラメータ値を、現用系ミキサー３よりも設定可能パラメータ値の数が少ない予備系ミキサー５の複数のパラメータ値と対応づけるテーブルであり、パラメータ変換テーブルを参照して現用系ミキサー３のパラメータを予備系ミキサー５のパラメータに変換することによって数値設定を粗くする。これにより、パラメータ変換テーブルを参照して現用系ミキサー３の数値パラメータ設定を予備系ミキサー５の数値パラメータ設定に反映できる。数値パラメータは、何らかの値の大きさまたは量を設定するパラメータであり、例えばフェーダレベルである。パラメータ変換テーブルは、現用系ミキサー３の複数のパラメータ値を、現用系ミキサー３よりも設定可能パラメータ値が少ない予備系ミキサー５の複数のパラメータ値と対応づけるテーブルであり、現用系の複数のパラメータ値と予備系の１のパラメータ値とが多対１で対応する。したがって、予備系ミキサー５が現用系ミキサー３よりも低機能で廉価なミキサーであるために、予備系ミキサー５のパラメータ値設定間隔が現用系ミキサー３より広く、設定可能パラメータ値の数が少なかったとしても、上記のパラメータ変換テーブルを用いることにより、ミキサー仕様差に応じてパラメータ値を適切に変換し、そしてこれにより数値パラメータ設定を適当に粗くできる。
【００７６】
また、本実施の形態によれば、コマンド変換装置９は、さらに、予備系制御コマンドを予備系ミキサーから受信し、予備系制御コマンドを現用系制御コマンドに変換し、現用系制御コマンドを現用系ミキサーへ送信して、予備系ミキサーを使用中に予備系ミキサーで設定された予備系制御コマンドを現用系制御コマンドに反映する。これにより、予備系ミキサー５に対する設定を現用系ミキサー３に反映することができる。したがって、現用系ミキサー３が復活したときにも短時間で現用系ミキサー３を使い始めることができる。
【００７７】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００７８】
以上のように、本発明にかかるミキサーシステムは、２重化の冗長度が小さくて廉価でありながら、異常発生時の復旧時間を短くできるという効果を有し、放送局またはホール等のミキサーシステム等として有用である。
【図面の簡単な説明】
【００７９】
【図１】本発明の実施の形態におけるミキサーシステムを示す図
【図２】ミキサーシステムに設けられるコマンド変換装置を示す図
【図３】（ａ）チャンネル変換テーブルを示す図  （ｂ）ＢＵＳチャンネル変換テーブルを示す図  （ｃ）ＥＱバンド変換テーブルを示す図
【図４】（ａ）フェーダレベル変換テーブルを示す図  （ｂ）チャンネルＯＮ／ＯＦＦ変換テーブルを示す図
【図５】（ａ）ＢＵＳスイッチ変換テーブルを示す図  （ｂ）ＢＵＳレベル変換テーブルを示す図  （ｃ）ＢＵＳパンスイッチ変換テーブルを示す図  （ｄ）ＢＵＳパンレベル変換テーブルを示す図
【図６】（ａ）ＥＱスイッチ変換テーブルを示す図  （ｂ）ＥＱ周波数変換テーブルを示す図  （ｃ）ＥＱゲイン変換テーブルを示す図  （ｄ）ＥＱタイプ変換テーブルを示す図
【図７】コマンド変換装置の動作を示すフロー図
【図８】チャンネル変換処理を示すフロー図
【図９】ＢＵＳチャンネル変換処理を示すフロー図
【図１０】ＥＱバンド変換処理を示すフロー図
【符号の説明】
【００８０】
１  ミキサーシステム
３  現用系ミキサー
５  予備系ミキサー
７  音声切替装置
９  コマンド変換装置
１１  現用系制御コマンド受信部
１３  コマンド変換部
１５  予備系制御コマンド送信部
２１  ミキサー情報記憶部
２３  チャンネル情報変換テーブル記憶部
２５  パラメータ情報変換テーブル記憶部
３１  現用系ミキサー設定状態保存部
３３  予備系ミキサー設定状態保存部
４１  現用系制御コマンド解析部
４３  設定データ変換部
４５  予備系制御コマンド生成部
【図１】
2007306459.tif 000003
【図２】
2007306459.tif 000004
【図３】
2007306459.tif 000005
【図４】
2007306459.tif 000006
【図５】
2007306459.tif 000007
【図６】
2007306459.tif 000008
【図７】
2007306459.tif 000009
【図８】
2007306459.tif 000010
【図９】
2007306459.tif 000011
【図１０】
2007306459.tif 000012